(57)【要約】      （修正有）【課題】店舗等の天井において、表示体を回転可能に吊り下げる装置であって、表示体の配置場所の自由度が高いうえに、太陽電池の機能を最大限に発揮させることができる表示体の支持装置を提供する。【解決手段】表示体Ｐを吊り下げて回転させるためのモータ１と、モータ１を天井に取り付けるためのモータ用ブラケット２と、リード線３を介してモータ１に電気的に接続される太陽電池パネル４と、太陽電池パネル４を天井に取り付けるための電池用ブラケット５とを備えた支持装置Ａ１。表示体Ｐを吊り下げるモータ１と、太陽電池パネル４とを、夫々のブラケット２，５により個別の位置に取り付け可能とし、表示体Ｐの配置場所の自由度を高めたうえで、太陽電池の機能を最大限に発揮させて、重量の大きい表示体Ｐを吊り下げ可能にした。【選択図】図１
2017003761.tif 000002
【特許請求の範囲】
【請求項１】
表示体を吊り下げて回転させるためのモータと、モータを天井に取り付けるためのモータ用ブラケットと、リード線を介してモータに電気的に接続される太陽電池パネルと、太陽電池パネルを天井に取り付けるための電池用ブラケットとを備えたことを特徴とする表自体の支持装置。
【請求項２】
電池用ブラケットが、天井への固定部と、太陽電池パネルを配置する電池保持部と、固定部と電池保持部とを連結する連結手段とを備え、
連結手段が、固定部に対して電池保持部の姿勢を変更するための少なくとも一つの角度調整部を含むことを特徴とする請求項１に記載の表示体の支持装置。
【請求項３】
リード線の中間部を保持するリード線保持部を備えたことを特徴とする請求項１又は２に記載の表示体の支持装置。
【発明の詳細な説明】
【技術分野】
【０００１】
本発明は、いわゆるＰＯＰ用品として、店舗等において宣伝広告用の表示体を回転可能に吊り下げておくのに用いられる表示体の支持装置に関するものである。
【背景技術】
【０００２】
従来において、表示体の支持装置としては、例えば、吊下回転ディスプレーの名称で特許文献１に記載されているものがある。特許文献１に記載の装置は、店頭広告用として使用するものであって、回転駆動手段を収容した容器体と、容器体を回転可能に吊り下げる吊下手段と、容器体の上方から光を照射する照明部とを備えると共に、回転駆動手段が、モータと、モータの出力軸に設けた回転空気抵抗発生部材と、モータの電源である太陽電池とを備えている。
【０００３】
上記の装置は、照明部からの光エネルギーを太陽電池で電力に変換し、その電力でモータを駆動し、モータにより回転空気抵抗発生部材を回転させて、その反力で容器体を回転させることにより、通行人に注意、興味、好奇心を起こさせて、店の宣伝広告や客引き等を行うものである。
【先行技術文献】
【特許文献】
【０００４】
【特許文献１】特開平１０−１４３１０１号公報
【発明の概要】
【発明が解決しようとする課題】
【０００５】
ところが、上記したような従来の表示体の支持装置では、容器体、回転駆動手段、太陽電池及び照明部を一体的に備えた構成であるから、表示体（容器体）の配置場所が、照明部への電気配線が可能な場所に限られてしまうという問題点があった。また、太陽電池を備えた支持装置は、店舗の天井における既存の照明を使用することも可能であるが、太陽電池の発電効率を考慮すると、表示体の配置場所が照明の近傍に限られたり、表示体の重量が小さく制限されたりするという問題点がある。
【０００６】
本発明は、上記従来の状況に鑑みて成されたもので、店舗等の天井において、表示体を回転可能に吊り下げる装置であって、表示体の配置場所の自由度が高いうえに、太陽電池の機能を最大限に発揮させることができる表示体の支持装置を提供することを目的としている。
【課題を解決するための手段】
【０００７】
本発明に係る表示体の支持装置は、表示体を吊り下げて回転させるためのモータと、モータを天井に取り付けるためのモータ用ブラケットと、リード線を介してモータに電気的に接続される太陽電池パネルと、太陽電池パネルを天井に取り付けるための電池用ブラケットとを備えたことを特徴としている。
【発明の効果】
【０００８】
本発明に係る表示体の支持装置は、店舗等の天井において、表示体を回転可能に吊り下げるモータと、このモータの電源である太陽電池パネルとが、夫々のブラケットにより個別の位置に取り付けられるので、表示体及びモータを任意の位置に取り付けたうえで、太陽電池パネルを発電効率の高い位置すなわち照明の近傍に配置し得る。
【０００９】
これにより、表示体の支持装置は、店舗等の天井において、表示体を回転可能に吊り下げる装置として、表示体の配置場所の自由度が高いうえに、太陽電池の機能を最大限に発揮させることができ、重量の大きい表示体を吊り下げることも可能になる。
【図面の簡単な説明】
【００１０】
【図１】本発明に係る表示体の支持装置の第１実施形態を説明する断面説明図である。
【図２】モータ用ブラケットを示す展開状体の側面図（Ａ）、展開状態の平面図（Ｂ）、組み立て要領を示す側面図（Ｃ）、及び天井への取り付け要領を示す側面図（Ｄ）である。
【図３】電池用ブラケットを示す展開状態の側面図（Ａ）、展開状体の平面図（Ｂ）、及び天井への取り付け要領を示す側面図（Ｃ）である。
【図４】本発明に係る表示体の支持装置の第２実施形態を説明する断面説明図（Ａ）、及び第３実施形態を説明する断面説明図（Ｂ）である。
【図５】本発明に係る表示体の支持装置の第４実施形態を説明する図であって、電池用ブラケットの展開状態の平面図（Ａ）、角度調整部を示す断面図（Ｂ）、天井に取り付けた状態を示す断面説明図（Ｃ）、及び別の適用例を示す断面説明図（Ｄ）である。
【図６】本発明に係る表示体の支持装置の第５実施形態を説明する図であって、電池用ブラケットの断面説明図（Ａ）、及び別の適用例を示す断面説明図（Ｂ）である。
【発明を実施するための形態】
【００１１】
〈第１実施形態〉
図１に示す表示体の支持装置Ａ１は、表示体Ｐを吊り下げて回転させるためのモータ１と、モータ１を天井Ｃに取り付けるためのモータ用ブラケット２と、リード線３を介してモータ１に電気的に接続される太陽電池パネル４と、太陽電池パネル４を天井Ｃに取り付けるための電池用ブラケット５とを備えている。
【００１２】
表示体Ｐは、主に宣伝広告用のものであって、その材料がとくに限定されるものではなく、具体的には、ポスター、ボード、垂れ幕及び旗などのシート体や、箱及びバルーンなどの立体的な中空体であり、いずれにしても比較的軽量なものである。
【００１３】
天井Ｃは、その材料や構造がとくに限定されるものではなく、この実施形態では軽量な石膏ボード製の天井板を備えたものとしており、後記する固定ピン７を突き刺して固定することが可能である。また、天井Ｃは、天井板だけを指すのではなく、枠、梁及び桟等の構造材や、照明、空調の吸排気口及び通気口等の機器を含むものとする。
【００１４】
モータ１は、図２にも示すように、扁平な箱状の本体部１Ａと、本体部１Ａの中央部から突出した出力軸１Ｂと、リード線３を接続するためのソケット部１Ｃとを有しており、図示しない電源スイッチ、減速機構及び回路基盤等を含む構成であっても良い。また、モータ１の出力軸１Ｂには、表示体Ｐを吊り下げるためのリング部材６が取り付けられる。リング部材６は、出力軸１Ｂの外側に嵌合する軸部６Ａと、軸部６Ａの端部に一体化したリング６Ｂとを有しており、軸部６Ａには、当該軸部６Ａを出力軸１Ｂに固定するための固定ねじ６Ｃが設けてある。
【００１５】
モータ用ブラケット２は、図２（Ａ）及び（Ｂ）に示すように、一枚の金属板から成るものであって、モータ１を配置する中央のモータ保持片２Ａと、その両側に連続する固定片２Ｂ，２Ｂとを有している。モータ保持片２Ａは、その中心に、モータ１の出力軸１Ｂを貫通させるための円形の軸用孔２Ｃが形成してある。また、両固定片２Ｂ，２Ｂは、夫々の中心に、固定ピン７を貫通させるための円形のピン用孔２Ｄが形成してある。
【００１６】
このモータ用ブラケット２は、図２（Ｃ）及び（Ｄ）に示すように、モータ保持片２Ａに対して、両側の固定片２Ｂ，２Ｂを同一面側に所定の角度だけ折り曲げることにより形成されている。なお、モータ用ブラケット２は、樹脂製であっても良く、この場合には、モータ保持片２Ａに対して両側の固定片２Ｂが傾斜した状態に一体成形される。
【００１７】
太陽電池パネル４は、光エネルギーを電力に変換する従来既知の光起電力デバイスであって、この実施形態では、先端にコネクタ３Ａを設けたリード線３が接続してある。
【００１８】
電池用ブラケット５は、図３（Ａ）及び（Ｂ）に示すように、一枚の金属板から成るものであって、図中左側となる一端側から、支持片５Ａと、天井Ｃに対向する固定片５Ｂと、連結片５Ｃと、太陽電池パネル４を配置する電池保持片５Ｄとを順に有している。
【００１９】
支持片５Ａは、ブラケット短辺側の端部に、リード線３を通過させるための切欠部５Ｅを有している。固定片５Ｂは、ブラケット長辺側の二カ所に、固定ピン７を貫通させるためのピン用孔５Ｆ，５Ｆを有している。これらのピン用孔５Ｆは、ブラケット長辺に沿う長孔状を成している。連結片５Ｃは、固定片５Ｂ側の部分において、中央に、リード線３を通過させるための円形の開口部５Ｇを有すると共に、ブラケット長辺側の二カ所に、固定ピン７を貫通させるための円形のピン用孔５Ｇ，５Ｈを有している。電池保持片５Ｄには、接着剤や両面粘着シートなどにより、太陽電池パネル４が貼着される。
【００２０】
この電池用ブラケット５は、図３（Ｃ）に示すように、固定片５Ｂに対して、支持片５Ａ及び連結片５Ｃを同一面側に折り曲げて、支持片５Ａの端部を連結片５に当接させ、側面視において支持片５Ａと固定片５Ｂと連結片５Ｃの一部とで三角形を成すように形成される。さらに、電池用ブラケット５は、連結片５に対して電池保持片５Ｄを折り曲げ、固定片５Ｂと電池保持片５Ｄとが平行を成すように形成されている。なお、電池用ブラケット５は、樹脂製であっても良く、この場合には、支持片５Ａ、固定片５Ｂ、連結片５Ｃ及び電池保持片５Ｄが、上記した互いの角度関係を成す状態に一体成形されることとなり、支持片５Ａを省略することも可能である。
【００２１】
上記構成を備えた表示体Ｐの支持装置Ａ１は、店舗等の天井Ｃにおいて、表示体Ｐを回転可能に吊り下げるモータ１と、このモータ１の電源である太陽電池パネル４とが、夫々のブラケット２，５により個別の位置に取り付けられる。
【００２２】
モータ１は、図２（Ｃ）及び（Ｄ）に示すように、固定片２Ｂを上向きにしたモータ用ブラケット２において、モータ保持片２Ａの軸用孔２Ｃに出力軸１Ｂを下方に貫通させた状態にして配置される。そして、モータ１は、天井Ｃの任意の位置において、モータ用ブラケット２とともに天井Ｃに当接させ、両ピン用孔２Ｄ，２Ｄに夫々貫通させた固定ピン７，７を天井Ｃに突き刺すことにより取り付け完了となる。
【００２３】
この際、モータ用ブラケット２は、天井Ｃにおいて、２本の固定ピン７，７が交差する方向に斜めに突き刺さることにより固定され、不用意に外れることもなく、表示体Ｐの重量を充分に支えることができる。その後、モータ１の出力軸１Ｂには、リング部材６が固定され、図１に示すように、リング部材６にフック８を介して表示体Ｐを吊り下げる。
【００２４】
支持装置Ａ１は、図１に示すように、表示体Ｐ及びモータ１を任意の位置に取り付けたうえで、太陽電池パネル４を発電効率の高い位置、すなわち照明Ｌ１の近傍に配置することができる。この実施形態の照明Ｌ１は、凹状のパネル体９内に２本の蛍光灯１０，１０を配置した埋め込み式のものである。
【００２５】
太陽電池パネル４は、図３（Ｃ）に示すように、電池用ブラケット５の固定片５Ｂを天井Ｃに当接させた状態にし、ピン用孔５Ｈ，５Ｈ，５Ｆ，５Ｆに夫々貫通させた２本の固定ピン７，７を天井Ｃに突き刺すことにより取り付け完了となる。この際、電池用ブラケット５は、図１に示すように、照明Ｌ１の近傍に固定され、太陽電池パネル４に充分な光が当たるように、照明Ｌ１の下側に連結片５Ｃ及び電池保持片５Ｄを延出させて太陽電池パネル４を水平に保持する。
【００２６】
また、支持装置Ａ１は、太陽電池パネル４に接続したリード線３を電池用ブラケット５の切欠部５Ｅ及び開口部５Ｇに通し、リード線３の先端のコネクタ３Ａをモータ１のソケット部１Ｃに接続する。なお、リード線３は、予め切欠部５Ｅ及び開口部５Ｇに通しておくことができる。これにより、表示体Ｐの支持装置Ａ１は、照明Ｌ１の光エネルギーを太陽電池パネル４で電力に変換し、その電力によりモータ１を駆動して、吊り下げた表示体Ｐを回転させる。
【００２７】
上記の表示体Ｐの支持装置Ａ１は、店舗等の天井Ｃにおいて、表示体Ｐ及びモータ１を任意の位置に取り付けたうえで、太陽電池パネル４を発電効率の高い照明Ｌ１の近傍に配置し得るので、表示体Ｐの配置場所の自由度が高いうえに、太陽電池の機能を最大限に発揮させることができ、太陽電池の発電効率が良好になるのに伴ってで、比較的重量の大きい表示体Ｐを吊り下げて回転させることも充分に可能である。また、上記の支持装置Ａ１は、各ブラケット２，５の固定ピン７を抜き取れば、天井Ｃから簡単に取り外すことができ、表示体Ｐの場所変更等にも容易に対処することができる。
【００２８】
図４〜図６は、本発明に係る表示体の支持装置の第２〜第５の実施形態を説明する図である。なお、以下の各実施形態において、第１実施形態と同一の構成部位は、同一符号を付して詳細な説明を省略する。
【００２９】
〈第２実施形態〉
図４（Ａ）に示す表示体の支持装置Ａ２は、第１実施形態と同等の基本構成を備えると共に、リード線３の中間部を保持するリード線保持部２１を備えた構成である。
【００３０】
図示例のリード線保持部２１は、軸孔２１Ａを有するボビン状の部材であって、モータ用ブラケット２と電池用ブラケット５との間において、軸孔２１Ａに貫通させた固定ピン７を天井Ｃに突き刺すことにより回転可能に取り付けられ、リード線３の中間部を巻回した状態で保持している。なお、リード線保持部２１は、固定ピン７を一体化した構造にすることも可能である。
【００３１】
上記構成を備えた表示体の支持装置Ａ２は、先の実施形態と同様の作用及び効果を得ることができるうえに、リード線保持部２１によりリード線３の中間部を巻回して保持することで、リード線３の垂れ下がりを防止して、良好な外観体裁を得ることができる。また、上記の支持装置Ａ２は、充分に長いリード線３を採用することも可能になるので、表示体Ｐ及びモータ１と太陽電池パネル４との配置の自由度をより高めることができる。
【００３２】
〈第３実施形態〉
図４（Ｂ）に示す表示体の支持装置Ａ３は、第１実施形態と同等の基本構成を備えると共に、電池用ブラケット５の連結片５Ｃに、リード線３の中間部を保持するリード線保持部２２を備えた構成である。図示例のリード線保持部２２は、ボビン状を成しており、リード線３の中間部を巻回した状態で保持する。このリード線保持部２２は、別部品として成形して電池用ブラケット５に固定しても良いし、電池用ブラケット５に一体成形しても良い。
【００３３】
上記構成を備えた表示体の支持装置Ａ３は、先の実施形態と同様の作用及び効果を得ることができるうえに、リード線保持部２２により、リード線３の中間部を巻回して保持することで、リード線３の垂れ下がりを防止して、良好な外観体裁を得ることができ、さらに、充分に長いリード線３を採用して、表示体Ｐ及びモータ１、並びに太陽電池パネル４の配置の自由度をより高めることもできる。
【００３４】
なお、上記のリード線保持部は、モータ用ブラケット２に設けることも可能であり、単独部品としてのリード線保持部（図４Ａ参照）と、ブラケットに設けたリード線保持部（図４Ｂ参照）とを選択的に組み合わせたりすることも当然可能である。
【００３５】
〈第４実施形態〉
図５に示す表示体の支持装置Ａ４は、第１実施形態と同等の基本構成を備えると共に、電池用ブラケット３０が、天井Ｃへの固定部３１と、太陽電池パネル４を配置する電池保持部３２と、固定部３１と電池保持部３２とを連結する連結手段３３とを備えている。そして、支持装置Ａ４は、連結手段３３が、固定部３１に対して電池保持部３２の姿勢を変更するための少なくとも一つの角度調整部３４を含む構成である。なお、図５では、モータ及びモータ側ブラケットの図示を省略している。
【００３６】
この実施形態における電池用ブラケット３０の固定部３１は、図１に示す第１実施形態の支持片２Ａ、固定片２Ｂ及び連結片２Ｃに相当する支持片３１Ａ、固定片３１Ｂ及び連結片３１Ｃにより構成されている。よって、固定部３１は、電池用支持片３１に切欠部３１Ｅを有し、固定片３１Ｂにピン用孔３１Ｆ，３１Ｆを有し、連結片３１Ｃに開口部３１Ｇ及びピン用孔３１Ｈ，３１Ｈを有している。また、電池保持部３２は、図１に示す第１実施形態の電池保持片２Ｄに相当し、太陽電池パネル４を備えている。
【００３７】
この実施形態における電池用ブラケット３０の連結手段３３は、固定部３１の端部に設けたボール部３５、電池保持部３２の端部に設けたボール部３５、両端部にボール部３５を有する連結棒３６、及びボール部３５と回動可能に係合する２つのジョイント３７を備えている。図示例の連結手段３３は、固定部３１のボール部３５、ジョイント３７，連結棒３６、ジョイント３７及び電池保持部３２のボール部３５を順次連結した構造である。
【００３８】
ここで、ジョイント３７は、図５（Ｂ）に示すように、概略円筒状の部材であり、両側の開口部内側に、ボール部３５と係合する球面凹部３８を有している。ボール部３５及び球面凹部３８は、適当な摩擦力をもって球面対偶を成し、その摩擦力を超える外力により互いに回動可能であると共に、外力の除去により回動位置を維持する。
【００３９】
すなわち、この実施形態では、ボール部３５及び球面凹部３８により、固定部３１に対して電池保持部３２の姿勢を無段階的に変更する角度調整部３４を構成しており、図示例の連結手段３３には、４つの角度調整部３４が含まれている。このような構成の角度調整部３４は、例えば、ジョイント３７の軸線に直交する方向（Ｘ及びＹ方向）に傾斜角を変更する角度調整だけでなく、ジョイント３７の軸線回り方向（Ｚ軸回り方向）に捩れ角を変更ずる角度調整も行うことができる。
【００４０】
上記構成を備えた表示体の支持装置Ａ４は、先の実施形態と同様の作用及び効果を得ることができるうえに、固定部３１を天井Ｃに取り付けた状態において、図５（Ｃ）及び（Ｄ）に示すように、４つの角度調整部３４により、電池保持部３２の姿勢を自在に変更することができる。
【００４１】
図５（Ｃ）の照明Ｌ１は、先述した埋め込み式のものであり、また、図５（Ｄ）に示す照明Ｌ２は、天井Ｃに固定した凸状のパネル体１９に２本の蛍光灯１０，１０を備えた直付け式のものである。支持装置Ａ４は、これらの照明Ｌ１，Ｌ２に対して、太陽電池の発電が効率良く行われるように、電池保持部３２の姿勢、すなわち太陽電池パネル４の向きを自在に変更することができる。
【００４２】
また、図示の支持装置Ａ４は、連結手段３３に連結棒３６を用いていることから、図５（Ｄ）に示すように、リード線３の中間部を連結棒３６に巻回して保持させることで、リード線３の垂れ下がりを防止することができる。
【００４３】
〈第５実施形態〉
図６に示す表示体の支持装置Ａ５は、第１実施形態と同等の基本構成を備えると共に、電池用ブラケット４０が、天井Ｃへの固定部４１と、太陽電池パネル４を配置する電池保持部４２と、固定部４１と電池保持部４２とを連結する連結手段４３とを備えている。そして、支持装置Ａ５は、連結手段４３が、固定部４１に対して電池保持部４２の姿勢を変更するための少なくとも一つの角度調整部３４を含む構成である。なお、図６では、モータ及びモータ側ブラケットの図示を省略している。
【００４４】
この実施形態における電池用ブラケット４０の固定部４１は、内部に磁石４１Ａを備えている。また、電池保持部４２は、図１に示す第１実施形態の電池保持片２Ｄに相当し、太陽電池パネル４を備えている。
【００４５】
この実施形態における電池用ブラケット４０の連結手段４３は、図５に示す第４実施形態の連結手段３３に対して、連結棒３６及びジョイント３７を１つずつ増やした構成であり、これにより、６つの角度調整部３４が含まれている。
【００４６】
上記構成を備えた表示体の支持装置Ａ５は、図６（Ａ）に示す埋め込み式の照明Ｌ１においては、磁性体から成る凹状のパネル体９の縁部に、電池用ブラケット４０の固定部４１を磁石４１Ａにより吸着させる。また、支持装置Ａ５は、図６（Ｂ）に示す直付け式の照明Ｌ２においては、磁性体から成る凸状のパネル体１９の側部に、電池用ブラケット４０の固定部４１を磁石４１Ａにより吸着させる。
【００４７】
上記の表示体の支持装置Ａ５は、先の実施形態と同様の作用及び効果を得ることができるうえに、照明Ｌ１，Ｌ２を含む天井Ｃにおいて、電池用ブラケット４０を簡単に取り付けることができ、また、取り外しや配置変更も非常に容易である。そして、支持装置Ａ５は、連結手段４３を構成する６つの角度調整部３４により、太陽電池パネル４に充分な光が当たるように、電池保持部４２の姿勢を自在に変更することができる。
【００４８】
また、支持装置Ａ５は、連結手段４３に含まれる角度調整部３４の数を増やせば、太陽電池パネル４を備えた電池保持部４２の３次元的な姿勢の選択肢も増えることになり、上記の照明Ｌ１，Ｌ２以外の様々な構造の照明にも対処することが可能になる。
【００４９】
本発明に係る表示体の支持装置は、その構成が上記各実施形態に限定されるものではなく、本発明の要旨を逸脱しない範囲において、構成部位の材料、数、形状、大小関係及び配置関係等を変更したり、各実施形態の構成を組み合わせたりすることが可能である。
【００５０】
本発明に係る表示体の支持装置において、電池用ブラケットの連結手段は、少なくとも１つの角度調整部を備えたものであるから、例えば、固定部及び電池保持部にボール部及び球面凹部を相対的に設けた構成（角度調整部が１つの構成）でも、照明と太陽電池パネルとの位置関係を良好にするうえでの一定の効果を得ることができ、この角度調整部の数を増加させれば太陽電池パネルの姿勢変更の自由度も向上する。
【符号の説明】
【００５１】
Ａ１〜Ａ５  支持装置
Ｃ  天井
Ｐ  表示体
１  モータ
２  モータ用ブラケット
３  リード線
４  太陽電池パネル
５  電池用ブラケット
２１，２２  リード線保持部
３０，４０  電池用ブラケット
３１，４１  固定部
３２，４２  電池保持部
３３，４３  連結手段
３４  角度調整部
【図１】
2017003761.tif 000003
【図２】
2017003761.tif 000004
【図３】
2017003761.tif 000005
【図４】
2017003761.tif 000006
【図５】
2017003761.tif 000007
【図６】
2017003761.tif 000008